【手続補正書】
【提出日】平成18年7月25日(2006.7.25)
【手続補正１】
【補正対象書類名】特許請求の範囲
【補正対象項目名】全文
【補正方法】変更
【補正の内容】
【特許請求の範囲】
【請求項１】
第１表示手段と、前記第１表示手段の観察側とは反対側から観察される第２表示手段と、
前記第１表示手段と前記第２表示手段の間に配置され、前記第１表示手段及び前記第２表示手段の双方に光を照射する照明手段とを具備し、
前記第２表示手段の表示領域である第２表示領域は、前記第１表示手段の表示領域である第１表示領域よりも小さいとともに、前記第１表示領域と重なるように配置され、
前記照明手段は、前記第１表示手段に対向する第１光出射面と、前記第２表示手段に対向する第２光出射面とを備えた導光部材を有し、
少なくとも前記導光部材の第１光出射面、または第２光出射面のいずれか一方には、凹凸形状が設けられ、
前記導光部材における前記第１光出射面と前記第１表示手段との間には、所定の方向に集光作用を有するプリズムがストライプ状に複数設けられた第１プリズム面と、前記第１プリズム面と略直交する方向のプリズムがストライプ状に複数設けられた第２プリズム面とを含む第１集光手段が設けられるとともに、
前記第２光出射面と前記第２表示手段との間にも、前記第１集光手段と同様な構成を有する第２集光手段が設けられることを特徴とする表示装置。
【請求項２】
前記凹凸形状は、前記導光部材の第１光出射面、および第２光出射面の両面に設けられていることを特徴とする請求項１に記載の表示装置。
【請求項３】
前記導光部材の前記第２光出射面と、前記第２集光手段との間には、入射した光の一部を反射するとともに、入射した光の一部を透過させる前記第１表示領域を覆う大きさのシート材がさらに備えられることを特徴とする請求項１または２に記載の表示装置。
【請求項４】
少なくとも前記第１表示領域および第２表示領域に対応した領域を開口したケース体をさらに備え、
前記第１および第２集光手段は、それぞれ前記第１プリズム面を備えたプリズムシートと、前記第２プリズム面を備えたプリズムシートとを重ね合わせて構成され、
前記ケース体は、４枚の前記プリズムシートと、前記照明手段とを少なくとも収納することを特徴とする請求項１〜３のいずれか一項に記載の表示装置。
【請求項５】
前記ケース体の色調は、白色であることを特徴とする請求項４に記載の表示装置。
【請求項６】
請求項１〜５のいずれか一項に記載の表示装置と、前記表示装置を制御する制御手段とを有することを特徴とする電子機器。
【手続補正２】
【補正対象書類名】明細書
【補正対象項目名】０００８
【補正方法】変更
【補正の内容】
【０００８】
そこで本発明は上記問題点を解決するものであり、その課題は、両面表示を実現可能な
表示装置において、装置の薄型化を図ることができるとともに、バックライトなどの照明
手段を表裏の表示手段に共用した場合に、それぞれの表示手段における表示品位の低下を
抑制することのできる表示装置を提供することにある。
【手続補正３】
【補正対象書類名】明細書
【補正対象項目名】０００９
【補正方法】変更
【補正の内容】
【０００９】
上記課題を解決するために、本発明の表示装置は、第１表示手段と、第１表示手段の観察側とは反対側から観察される第２表示手段と、第１表示手段と第２表示手段の間に配置され、第１表示手段及び第２表示手段の双方に光を照射する照明手段とを具備し、第２表示手段の表示領域である第２表示領域は、第１表示手段の表示領域である第１表示領域よりも小さいとともに、第１表示領域と重なるように配置され、照明手段は、第１表示手段に対向する第１光出射面と、第２表示手段に対向する第２光出射面とを備えた導光部材を有し、少なくとも導光部材の第１光出射面、または第２光出射面のいずれか一方には、凹凸形状が設けられ、導光部材における第１光出射面と第１表示手段との間には、所定の方向に集光作用を有するプリズムがストライプ状に複数設けられた第１プリズム面と、第１プリズム面と略直交する方向のプリズムがストライプ状に複数設けられた第２プリズム面とを含む第１集光手段が設けられるとともに、第２光出射面と第２表示手段との間にも、第１集光手段と同様な構成を有する第２集光手段が設けられることを特徴とする。
【手続補正４】
【補正対象書類名】明細書
【補正対象項目名】００１０
【補正方法】変更
【補正の内容】
【００１０】
導光部材の第１光出射面、または第２光出射面に設けられた凹凸形状は、光出射面から出射される光を表示手段の光軸方向およびその近傍に出射させる偏向および散乱作用を有している。
また、第１プリズム面には、例えば、所定の方向としての表示手段における水平方向に集光作用を有するプリズムがストライプ状に複数設けられていることから、水平方向に広がる光を集光して表示に寄与する光とすることができる。同様に、第１プリズム面と略直交する方向のプリズムがストライプ状に複数設けられた第２プリズム面は、垂直方向に広がる光を集光して表示に寄与する光とすることができる。
よって、第１プリズム面および第２プリズム面を備えた第１集光手段は、水平方向および垂直方向に広がる光を集光して表示に寄与する光の割合を高めることができる。また、同様な構成を備えた第２集光手段も同様の作用効果を有する。
この構成によれば、導光部材から出射された光は、いずれかの光出射面に設けられた凹凸形状により散乱され、また、導光部材内部界面にて反射を繰り返し、第１および第２光出射面から、第１および第２集光手段に出射される。そして第１および第２集光手段において集光された光は、第１および第２表示手段に入射する。
よって、第１集光手段および第２集光手段は、散乱により輝度ムラが低減されるとともに、集光により光量が確保された光により照射されることから、それぞれ表示品質を確保することができる。
【手続補正５】
【補正対象書類名】明細書
【補正対象項目名】００１１
【補正方法】変更
【補正の内容】
【００１１】
また、表示装置は、第１表示手段および第２表示手段に、大別して第１集光手段と、導光部材と、第２集光手段という３層を加えることにより構成されることから、表示装置を薄く構成することができる。
さらに、第１表示手段と、第２表示手段との間には、第１集光手段と、導光部材のいずれかの光出射面に設けられた凹凸形状と、さらに第２集光手段とが設けられている。ここで、第１集光手段、および第２集光手段は、各表示手段の外から入射する外光を散乱させる散乱層ともみなすことができる。
よって、第１表示手段と、第２表示手段との間には、３つの散乱層が存在するとみなすことができることから、第２表示手段における照度による陰は、４つの散乱層によりぼやかされ、当該陰が第１表示手段に写り込むという表示品質の低下を抑制することができる。
従って、装置の薄型化を図ることができるとともに、それぞれの表示手段における表示品位の低下を抑制することのできる表示装置を提供することができる。
【手続補正６】
【補正対象書類名】明細書
【補正対象項目名】００１２
【補正方法】変更
【補正の内容】
【００１２】
本発明の表示装置によれば、凹凸形状は、導光部材の第１光出射面、および第２光出射面の両面に設けられていることが好ましい。
【手続補正７】
【補正対象書類名】明細書
【補正対象項目名】００１３
【補正方法】変更
【補正の内容】
【００１３】
この構成によれば、凹凸形状は、導光部材の第１光出射面、および第２光出射面の両面に設けられていることから、第１表示手段と、第２表示手段との間には、４つの散乱層が存在するとみなすことができる。
よって、第２表示手段における照度による陰は、４つの散乱層によりぼやかされ、当該陰が第１表示手段に写り込むという表示品質の低下をさらに抑制することができる。
【手続補正８】
【補正対象書類名】明細書
【補正対象項目名】００１４
【補正方法】変更
【補正の内容】
【００１４】
本発明の表示装置によれば、導光部材の第２光出射面と、第２集光手段との間には、入射した光の一部を反射するとともに、入射した光の一部を透過させる第１表示領域を覆う大きさのシート材がさらに備えられることが好ましい。
【手続補正９】
【補正対象書類名】明細書
【補正対象項目名】００１５
【補正方法】変更
【補正の内容】
【００１５】
この構成によれば、導光部材の第２光出射面と、第２表示手段との間に半透過反射性を有するシート材が配置されていることから、第２光出射面から出射された光の一部は、シート材を透過して第２表示手段へ入射し、第２表示手段を照明する。また、第２光出射面から出射された光の残部は、シート材により反射され、再度導光部材に入射し、第１表示手段へ向かう光となる。
従って、第１表示手段の照明状態を優先させることが可能になり、大きな表示領域を有する第１表示手段の表示品位を向上させることができる。
【手続補正１０】
【補正対象書類名】明細書
【補正対象項目名】００１６
【補正方法】変更
【補正の内容】
【００１６】
本発明の表示装置によれば、少なくとも第１表示領域および第２表示領域に対応した領域を開口したケース体をさらに備え、第１および第２集光手段は、それぞれ第１プリズム面を備えたプリズムシートと、第２プリズム面を備えたプリズムシートとを重ね合わせて構成され、ケース体は、４枚のプリズムシートと、照明手段とを少なくとも収納することが好ましい。
【手続補正１１】
【補正対象書類名】明細書
【補正対象項目名】００１７
【補正方法】変更
【補正の内容】
【００１７】
この構成によれば、第１プリズム面を備えたプリズムシートと、第２プリズム面を備えたプリズムシートとを重ね合わせるという、簡単で薄型化が容易な構成により第１および第２集光手段を実現することができる。
さらに、一つのケース体により、第１および第２集光手段を構成する４枚のプリズムシートと、照明手段とを一体に収納することができる。
【手続補正１２】
【補正対象書類名】明細書
【補正対象項目名】００１８
【補正方法】変更
【補正の内容】
【００１８】
本発明の表示装置によれば、ケース体の色調は、白色であることが好ましい。
この構成によれば、例えば、収納された照明手段における導光部材の厚さ方向の端面から漏れた光を、白色のケース体により反射させることにより、再度、その一部を導光部材に戻すことができる。これにより、照明光の利用効率を高めることができる。
【手続補正１３】
【補正対象書類名】明細書
【補正対象項目名】００１９
【補正方法】変更
【補正の内容】
【００１９】
上記課題を解決するために、本発明の電子機器は、前記記載の表示装置と、表示装置を制御する制御手段とを有することを特徴とする。
【手続補正１４】
【補正対象書類名】明細書
【補正対象項目名】００２０
【補正方法】変更
【補正の内容】
【００２０】
この構成によれば、電子機器は、装置の薄型化を図ることができるとともに、それぞれの表示手段における表示品位の低下を抑制することのできる表示装置を備えている。
よって、薄型の電子機器を実現することができる。また、薄型化が求められている携帯型電子機器に好適である。